(57)【特許請求の範囲】
【請求項１】
上半身の少なくとも腹部と背中部を覆うシャツであって、
人体の重心の移動により前後左右のいずれかの方向にシャツを構成する生地とともに動く錘を取り付けるか又は錘を取り付けることが可能に縫製されており、
前記錘の取り付け位置が、ウエスト周辺の背中部下方両側２か所であり、
シャツを構成する生地とともに動き、衣服内の空気と外気を交換でき、
シャツを着用して走った時の錘の移動方向が、水平面内において進行方向と同一方向をＹ、進行方向と垂直方向をＸとしたとき、第７頸椎を原点として各々の錘がＸ−Ｙ方向に移動することを特徴とするシャツ。
【請求項２】
前記錘の重量が６〜２０ｇ／１個である請求項１に記載のシャツ。
【請求項３】
前記シャツは、バストに対して６〜１２％のゆとり量がある請求項１又は２に記載のシャツ。
【請求項４】
前記シャツを構成する生地の通気量は、JIS L 1096A法(フラジール法)において２７０ｃｍ3／ｓ以下である請求項１〜３のいずれか１項に記載のシャツ。
【請求項５】
前記錘の取り付け位置は、第７頸椎棘突起の位置より下45cm,左右に各15cmの位置である請求項１〜４のいずれかに記載のシャツ。
【請求項６】
前記シャツはスポーツ用シャツである請求項１〜５のいずれか１項に記載のシャツ。
【発明の詳細な説明】
【技術分野】
【０００１】
本発明は、人体の重心の移動により衣服内の空気と外気とを効率的に交換できるシャツに関し、とくにスポーツに好適なシャツに関する。
【背景技術】
【０００２】
シャツなどのウエアは人体の上半身を覆い、普段の生活においては下着や中着として着用し、スポーツをする際にも有用である。スポーツシャツに関しては、とくにマラソン、ランニング、ウォーキング、サイクリング、登山、テニスなどのスポーツをする際には、発汗により背中から濡れてくる現象がある。また、レインウエアなどのアウターにおいては、生地の通気量が少ないことにより、発汗によって衣服内の湿度が増加し、不快感が増す現象がある。
【０００３】
従来、電源を持つファンにより外気を衣服内に取り込み衣服内を冷却する提案がある（特許文献１〜２）。しかし、これらの提案は電源とファンの重量が重く、嵩張り、実用的には困難が伴う。着心地がよく、快適なウエアは依然として市場から要求されている。
【特許文献１】特開２００６−３０７３５４号公報
【特許文献２】特開２００６−１３２０４０号公報
【発明の概要】
【発明が解決しようとする課題】
【０００４】
本発明は、前記従来の問題を解決するため、軽量で、人体の重心の移動により衣服内の空気と外気とを効率的に交換できる着心地の良いシャツを提供する。
【課題を解決するための手段】
【０００５】
本発明のシャツは、上半身の少なくとも腹部と背中部を覆うシャツであって、人体の重心の移動により前後左右のいずれかの方向にシャツを構成する生地とともに動く錘を取り付けるか又は錘を取り付けることが可能に縫製されており、前記錘の取り付け位置が、ウエスト周辺の背中部下方両側２か所であり、シャツを構成する生地とともに動き、衣服内の空気と外気を交換でき、シャツを着用して走った時の錘の移動方向が、水平面内において進行方向と同一方向をＹ、進行方向と垂直方向をＸとしたとき、第７頸椎を原点として各々の錘がＸ−Ｙ方向に移動することを特徴とする。
【発明の効果】
【０００６】
本発明は、シャツの背中部下方に、重心の移動により前後左右のいずれかの方向にシャツを構成する生地とともに動く錘を取り付けることにより、軽量で、人体の重心の移動により衣服内の空気と外気とを効率的に交換できる着心地の良いシャツを提供できる。また、錘を取り付けることが可能に縫製されていることにより、錘を取り付ければ前記と同様に衣服内の空気と外気とを効率的に交換できる。背中側で衣服内の空気と外気とを効率的に交換すれば、衣服内の相対湿度を低下でき、発汗しても乾燥するので着用感は向上する。
【図面の簡単な説明】
【０００７】
【図１】図１Ａは本発明の一実施例におけるシャツの模式的正面図、図１Ｂは同模式的裏面図である。
【図２】図２は同、人体の模式的側面図である。
【図３】図３Ａ〜Ｆは本発明の実施例で使用したシャツの模式的正面図及び模式的裏面図である。
【図４】図４Ａは本発明の実施例におけるシャツの後ろ裾の移動方向を示すグラフ、図４Ｂは同、移動量を示すグラフである。
【図５】図５は同、移動量を測定した比較グラフ平面図である。
【図６】図６は同、シャツ内の相対湿度の低下を示すグラフである。
【発明を実施するための形態】
【０００８】
本発明は、マラソン、ランニング、ウォーキング、サイクリング、登山、テニスなどの発汗を伴うスポーツをする際、発汗は主に背中側から起こり、衣類の背中側から濡れてくることが多いため、背中側で衣服内の空気と外気とを効率的に交換すれば着用感は良くなるのではないかとの着想に基づいて完成したものである。
【０００９】
本発明のウエアは上半身の少なくとも腹部と背中部を覆うものであり、例えばシャツが好ましい。シャツは半袖シャツ、Ｔシャツ、タンクトップシャツなどである。そして、背中部下方に、重心の移動により前後左右のいずれかの方向にウエアを構成する生地とともに動く錘を取り付けるか又は錘を取り付けることが可能に縫製されている。背中部下方に錘を取り付ければ、人体の重心の移動とともに錘も前後左右に動き、この動きに伴ってウエア背中部裾の生地もはためく。ウエアの生地がはためくと衣服内の空気が換気され、乾燥が促進される。
【００１０】
前記において、錘を取り付けることが可能に縫製されていると、着用時に錘を取り付けることができ、前記と同様の効果を達成できる。例えばポケット部を縫製しておき、ポケット部の中に錘になるものを入れるだけでよい。
【００１１】
錘の取り付け位置は、ウエスト周辺の背中部下方１か所でもよいが、両側２か所が好ましい。ウエア背中部下方２か所であると、バランスよく裾の生地をはためかせることができる。背中側で衣服内の空気と外気とを効率的に交換すれば、衣服内の相対湿度を効率よく低下でき、発汗によりウエアが濡れても乾燥するので着用感は向上する。
【００１２】
錘の重量は６〜２０ｇ／１個であることが好ましく、さらに好ましくは８〜１５ｇ／１個である。前記の重量であれば錘としての機能を発揮し、重さによる不快感は生じにくい。
【００１３】
ウエアは、バストに対して６〜１２％のゆとり量があることが好ましく、さらに好ましくは７〜９％である。前記のゆとり量であれば、ウエア背中部裾の生地を効率よくはためかすことができる。
【００１４】
ウエアを構成する生地の通気量は、JIS L 1096A法(フラジール法)において２７０ｃｍ3／ｓ以下が好ましく、さらに好ましくは２００ｃｍ3／ｓ以下である。前記の範囲であると、ウエア背中部裾の生地を効率よくはためかすことができ、衣服内の相対湿度を効率よく低下できる。
【００１５】
本発明の生地としては、通常のシャツ生地を採用できる。例えば、織物としては、平織、斜文織、朱子織、変化平織、変化斜文織、変化朱子織、変わり織、紋織、片重ね織、二重組織、多重組織、経パイル織、緯パイル織、絡み織等がある。編物としては、丸編、緯編、経編（トリコット編、ラッセル編を含む）、パイル編等を含み、平編、天竺編、リブ編、スムース編（両面編）、ゴム編、パール編、デンビー組織、コード組織、アトラス組織、鎖組織、挿入組織などがある。前記生地は、目付けが１２０〜２３０ｇ／ｍ2の範囲が好ましく、さらに好ましくは１４０〜２１０ｇ／ｍ2の範囲、とくに好ましくは１６０〜２００ｇ／ｍ2の範囲である。前記の範囲であれば、運動機能を損なわず、耐久性も良く、透けにくく軽くて動きやすい利点がある。前記生地は、一般的には縫製によってシャツとする。また、縫製をしないホールガーメントと言われている一体的に編成されるシャツであってもよい。ホールガーメントの例としては、島精機社製編み機によるホールガーメントニットウエアがある。
【００１６】
以下図面を用いて説明する。以下の図面においては、同一符号は同一物を示す。図１Ａは本発明の一実施例におけるシャツ１の模式的正面図、図１Ｂは同模式的裏面図である。このシャツ１は前身頃２と後身頃３と肩〜袖部分４ａ，４ｂと襟部５で縫製され、後身頃３のウエスト周辺の両側２か所の位置に錘６，７を取り付けている。袖は半袖、７部袖、長袖、袖なし（タンクトップ）などいかなるものでも良い。錘６ａ，６ｂの取り付け位置は、例えば襟部５の下（第７頸椎棘突起の位置）Ｌ１が４５ｃｍ、左右Ｌ２が１５ｃｍの部分とする。
【００１７】
このようにすると、図２の人体の模式的側面図で示すように背中部分の空間７が大きく取れる。このような状態で走ったり速歩すると錘も前後左右に動き、この動きに伴ってウエア背中部裾の生地もはためく。ウエアの生地がはためくと衣服内の空気が換気され、乾燥が促進される。錘は、シリコーンゴム、シリコーン樹脂などの成形パーツ、コイン又はコイン状成形体、生地の重量のあるもの、ファスナー、その他本発明に適切な重量のある物体を使用できる。
【実施例】
【００１８】
以下実施例を用いてさらに具体的に説明する。なお、本発明は下記の実施例に限定して解釈されるものではない。
【００１９】
（実施例１）
ポリエチレンテレフタレートからなるマルチフィラメント仮撚加工糸（トータル繊度８３．３deci tex、フィラメント数３６本）を用いて編物とした。編物組織は両面編とした。得られた編物の目付けは１００ｇ／ｍ2であった。また、得られた編物生地の通気量は、JIS L 1096A法(フラジール法)において１７６ｃｍ3／ｓであった。
【００２０】
得られた編物生地を用いて図３Ａ〜Ｆに示すシャツを縫製した。バストの位置のゆとり量は８％とした。
（１）図３Ａは図１Ｂと同一の位置に１個８ｇの円盤形状の錘を左右に計２個取り付けた。
（２）図３Ｂは同、縦長のラバープレート（タテ１４０ｍｍ，ヨコ３０，厚み３ｍｍ，１個の重さ８ｇ）を左右に計２個取り付けた。
（３）図３Ｃは同、（２）のラバープレートを横長にして取り付けた。
（４）図３Ｄは図３Ａの態様に加えて襟中央部下からテープ８を錘まで貼り付けた。
（５）図３Ｅは図３Ｂの態様に加えて襟中央部下からテープ８を錘まで貼り付けた。
（６）図３Ｆは図３Ｃの態様に加えて襟中央部下からテープ８を錘まで貼り付けた。
【００２１】
図４Ａは本発明の実施例のシャツを着用して走った時の錘のマーカー移動方向を示すグラフであり、水平面内において進行方向と同一方向をＹ、進行方向と垂直方向をＸとした。図４Ｂは同、マーカー移動量を示すグラフである。図４Ｂの測定は、図３Ａ-Ｆのシャツ（ゆとり量８％）の錘中央部にマーカーを固定し、着用した状態で走路を時速１０ｋｍで走ったときの第7頚椎を原点としたマーカーの移動軌跡である。このようにして得られたマーカー移動量のＸ方向、Ｙ方向の結果を図５に示す。図５から明らかなとおり、錘があるとシャツの後ろのはためきの増加に有効であることが確認できた。
【００２２】
（実施例２）
実施例１のシャツを用いて、錘の位置と重さの５名の着用試験によって官能評価した。測定条件は実施例１と同一とした。官能評価ははためきを感ずるか否かを５段階で評価し、数値が高いほどはためき感が高いことを示す。結果を下記の表１にまとめて示す。
【００２３】
【表１】
0005571123.tif 000002
【００２４】
表１の結果から、第７頸椎棘突起の位置(C7)より下45cm,左右に各15cmの位置に6-20g程度の錘を取り付けるのが好ましいことが分かった。これは動画比較の目視観察でも確認できた。錘が20gを超えると重さによる不快感があった。
【００２５】
（実施例３）
本実施例は生地の通気量を評価した。表２に示す様々な通気量の生地を用いてシャツを縫製した。錘の重量と位置は前記表１に示す実験番号２−９（図１Ｂ）とした。通気量はＪＩＳ  Ｌ１０９６Ａ法（フラジール法）を使用した。着用試験は実施例１と同一の条件であり、環境温度２０℃，相対湿度５０％ＲＨ，ゆとり量８％のシャツを着てランニングマシンで時速１０ｋｍで３０分間走ったときの相対湿度の低下率で評価した。結果を表２にまとめて示す。
【００２６】
【表２】
0005571123.tif 000003
【００２７】
表２の結果から次のことが分かった。
（１）生地のフラジール通気量にかかわらずに相対湿度は低くなる。このことはシャツに錘が取り付けられているとシャツの後ろ裾のはためきに有効であることを示す。
（２）相対湿度が顕著に低下するのはフラジール通気量が０〜２７０cm3/sであり、さらに好ましくは０〜２００cm3/sである。
【００２８】
（実施例４）
本実施例は人体のバストに対するシャツの適切なゆとり量を調べた。錘の重量と位置は前記表１に示す実験番号２−９（図１Ｂ）とした。シャツの生地は実施例1と同一であり、通気量はＪＩＳ  Ｌ１０９６Ａ法（フラジール法）において１７６ｃｍ3／ｓの編物を使用した。測定条件は実施例１と同一とした。表３にゆとり量と相対湿度の低下率をまとめた。実験番号4-2以下は4-1(ブランク)からの相対湿度低下率を示す。
【００２９】
【表３】
0005571123.tif 000004
【００３０】
表３の結果から次のことが分かった。
（１）ゆとり量にかかわらず相対湿度は低下する。
（２）身体のバストに対して６〜１２％のゆとり量が好ましく、さらに好ましくは７〜９％のゆとり量である。
【００３１】
（実施例５）
実施例１のシャツを用いて、人体のバストに対するシャツのゆとり量を８％とし、錘の重量と位置は前記表１に示す実験番号２−９（図１Ｂ）とし、通気量はＪＩＳ  Ｌ１０９６Ａ法（フラジール法）において１７６ｃｍ3／ｓの編物を使用したときの着用試験における相対湿度の低下率を調べた。着用試験は実施例１と同一の条件であり、環境温度２０℃，相対湿度５０％ＲＨでシャツを着てランニングマシンで時速１０ｋｍで３０分間走ったときの相対湿度の低下率で評価した。この結果を図６に示す。着用試験者は甲、乙、丙の成人男子３名であり、右側に合計の平均を示す。図６に示すように、約５．８％相対湿度を低下させることができた。
【００３２】
（実施例６）
ポリエチレンテレフタレートからなるマルチフィラメント仮撚加工糸（トータル繊度１１１．１deci tex、フィラメント数４８本）を用いて編物とした。編物組織は両面編、目付けは１１０ｇ／ｍ2、編物生地の通気量は、JIS L 1096A法(フラジール法)において２４８ｃｍ3／ｓの編物生地を用いて図１Ａ-Ｂに示すシャツを縫製し、人体のバストに対するシャツのゆとり量を８％とし、錘の重量と位置は前記表１に示す実験番号２−９（図１Ｂ）とし、着用試験における相対湿度の低下率を調べた。着用試験は実施例１と同一の条件であり、環境温度２０℃，相対湿度５０％ＲＨでシャツを着てランニングマシンで時速１０ｋｍで３０分間走ったときの相対湿度の低下率で評価した。この結果に、約３．７％相対湿度を低下させることができた。
【００３３】
（実施例７）
ポリエチレンテレフタレートからなるマルチフィラメント仮撚加工糸（トータル繊度８３．３deci tex、フィラメント数３６本）を用いて編物とした。編物組織は平編、目付けは１５０ｇ／ｍ2、編物生地の通気量は、JIS L 1096A法(フラジール法)において２６８ｃｍ3／ｓの編物生地を用いて図１Ａ-Ｂに示すシャツを縫製し、人体のバストに対するシャツのゆとり量を８％とし、錘の重量と位置は前記表１に示す実験番号２−９（図１Ｂ）とし、着用試験における相対湿度の低下率を調べた。着用試験は実施例１と同一の条件であり、環境温度２０℃，相対湿度５０％ＲＨでシャツを着てランニングマシンで時速１０ｋｍで３０分間走ったときの相対湿度の低下率で評価した。この結果に、約２．８％相対湿度を低下させることができた。
【産業上の利用可能性】
【００３４】
本発明のウエアは、半袖シャツ、７部袖シャツ、長袖シャツ、袖なし（タンクトップ）シャツ、ベスト、中着、上着など様々なウエアに適用できる。用途もマラソン、ランニング、ウォーキング、サイクリング、登山、テニスなどのスポーツはもちろん、その他の発汗を伴うスポーツにも好適である。
【符号の説明】
【００３５】
１  シャツ
２  前身頃
３  後身頃
４ａ，４ｂ  肩〜袖部分
５  襟部
６，７  錘
８  テープ
【図１】
0005571123.tif 000005
【図２】
0005571123.tif 000006
【図３】
0005571123.tif 000007
【図４】
0005571123.tif 000008
【図５】
0005571123.tif 000009
【図６】
0005571123.tif 000010